(57)【要約】【課題】ロックアームの強度を向上し、一対の樹脂ハウジングのＬ字状形態を安定して保持することができるヒューズユニットを提供する。【解決手段】導電性金属からなり屈曲部が設けられたバスバ３と、屈曲部を露出させバスバ３の一側と他側とに分割して形成される合成樹脂からなる一対の樹脂ハウジング５，７とを備え、屈曲部で屈曲されて一対の樹脂ハウジング５，７がＬ字状に配置されるヒューズユニット１において、一方の樹脂ハウジング５に、撓み可能なロックアーム９を設け、他方の樹脂ハウジング７に、屈曲部が屈曲された状態でロックアーム９が係止される係止部１１を設け、ロックアーム９に、少なくとも撓み可能な部分にバスバ３を用いた。【選択図】図３
2014082038.tif 000002
【特許請求の範囲】
【請求項１】
導電性金属からなり屈曲部が設けられたバスバと、前記屈曲部を露出させ前記バスバの一側と他側とに分割して形成される合成樹脂からなる一対の樹脂ハウジングとを備え、前記屈曲部で屈曲されて前記一対の樹脂ハウジングがＬ字状に配置されるヒューズユニットであって、
前記一対の樹脂ハウジングのうちいずれか一方には、撓み可能なロックアームが設けられ、前記一対の樹脂ハウジングのうち他方には、前記屈曲部が屈曲された状態で前記ロックアームが係止される係止部が設けられ、
前記ロックアームは、少なくとも撓み可能な部分に前記バスバが用いられていることを特徴とするヒューズユニット。
【請求項２】
請求項１記載のヒューズユニットであって、
前記ロックアームは、前記バスバが埋設されていることを特徴とするヒューズユニット。
【発明の詳細な説明】
【技術分野】
【０００１】
本発明は、ヒューズユニットに関する。
【背景技術】
【０００２】
従来、ヒューズユニットとしては、導電性金属からなり屈曲部としての可撓ヒンジ部が設けられたバスバとしてのヒューズエレメントと、可撓ヒンジ部を露出させヒューズエレメントの一側と他側とに分割して形成される合成樹脂からなる一対の樹脂ハウジングとしての第１分割ボディと第２分割ボディとを備えたものが知られている（例えば、特許文献１参照）。
【０００３】
このヒューズユニットでは、ヒューズエレメントの可撓ヒンジ部が屈曲され、第１分割ボディと第２分割ボディとがＬ字状に配置される。このＬ字状形態は、第１分割ボディに設けられた撓み可能なロックアームとしての第１係合部と、第２分割ボディに設けられた係止部としての第２係合部との係合によって保持される。
【先行技術文献】
【特許文献】
【０００４】
【特許文献１】特開２０１０−４０３６７号公報
【発明の概要】
【発明が解決しようとする課題】
【０００５】
しかしながら、上記特許文献１のようなヒューズユニットでは、ロックアームが合成樹脂からなる樹脂ハウジングに設けられているので、ロックアームの強度が低く、ロックアームが撓んで係止部の係止が外れる可能性があった。
【０００６】
そこで、この発明は、ロックアームの強度を向上し、一対の樹脂ハウジングのＬ字状形態を安定して保持することができるヒューズユニットの提供を目的としている。
【課題を解決するための手段】
【０００７】
請求項１記載の発明は、導電性金属からなり屈曲部が設けられたバスバと、前記屈曲部を露出させ前記バスバの一側と他側とに分割して形成される合成樹脂からなる一対の樹脂ハウジングとを備え、前記屈曲部で屈曲されて前記一対の樹脂ハウジングがＬ字状に配置されるヒューズユニットであって、前記一対の樹脂ハウジングのうちいずれか一方には、撓み可能なロックアームが設けられ、前記一対の樹脂ハウジングのうち他方には、前記屈曲部が屈曲された状態で前記ロックアームが係止される係止部が設けられ、前記ロックアームは、少なくとも撓み可能な部分に前記バスバが用いられていることを特徴とする。
【０００８】
このヒューズユニットでは、ロックアームが少なくとも撓み可能な部分にバスバが用いられているので、合成樹脂よりも強度の高い金属であるバスバによってロックアームの強度が向上され、ロックアームによる係止部の係止が外れることを防止できる。
【０００９】
従って、このようなヒューズユニットでは、ロックアームにバスバが用いられているので、ロックアームの強度を向上し、一対の樹脂ハウジングのＬ字状形態を安定して保持することができる。
【００１０】
請求項２記載の発明は、請求項１記載のヒューズユニットであって、前記ロックアームは、前記バスバが埋設されていることを特徴とする。
【００１１】
このヒューズユニットでは、ロックアームにバスバが埋設されているので、バスバが外部に露出されることがなく、バスバの耐腐食性を向上することができる。
【発明の効果】
【００１２】
本発明によれば、ロックアームの強度を向上し、一対の樹脂ハウジングのＬ字状形態を安定して保持することができるヒューズユニットを提供することができるという効果を奏する。
【図面の簡単な説明】
【００１３】
【図１】本発明の実施の形態に係るヒューズユニットの斜視図である。
【図２】本発明の実施の形態に係るヒューズユニットのＬ字状形態前の斜視図である。
【図３】本発明の実施の形態に係るヒューズユニットの断面図である。
【発明を実施するための形態】
【００１４】
図１〜図３を用いて本発明の実施の形態に係るヒューズユニットについて説明する。
【００１５】
本実施の形態に係るヒューズユニット１は、導電性金属からなり屈曲部が設けられたバスバ３と、屈曲部を露出させバスバ３の一側と他側とに分割して形成される合成樹脂からなる一対の樹脂ハウジング５，７とを備え、屈曲部で屈曲されて一対の樹脂ハウジング５，７がＬ字状に配置される。
【００１６】
また、一方の樹脂ハウジング５には、撓み可能なロックアーム９，９が設けられ、他方の樹脂ハウジング７には、屈曲部が屈曲された状態でロックアーム９，９が係止される係止部１１が設けられている。
【００１７】
そして、ロックアーム９，９は、少なくとも撓み可能な部分にバスバ３が用いられている。
【００１８】
また、ロックアーム９，９は、バスバ３が埋設されている。
【００１９】
図１〜図３に示すように、バスバ３は、導電性金属材料からなり、薄板状に形成されている。また、バスバ３には、過電流によって溶断する複数のヒューズ１３が一体に形成されている。
【００２０】
このバスバ３は、バッテリ（不図示）の上面側に位置される部分にバッテリ端子（不図示）、オルタネータ端子（不図示）、スタータモータ端子（不図示）などが接続される複数の上面接続部が設けられ、バッテリの側面側に位置される部分に電装品などの負荷に接続された端子が接続される複数の側面接続部が設けられている。
【００２１】
このようなバスバ３は、バッテリと負荷との間に配置され、バッテリと負荷との間をヒューズ１３を介して接続するヒューズ回路を構成するヒューズエレメントとなっている。このバスバ３には、屈曲部（不図示）が設けられている。この屈曲部を折り曲げ加工することにより、ヒューズユニット１がＬ字状に形成される。
【００２２】
このようにヒューズユニット１をＬ字状に形成することにより、ヒューズユニット１の全長の大型化が抑制され、バッテリの周辺部材との干渉を防止することができると共に、ヒューズ回路の多様化に対応することができる。
【００２３】
このような屈曲部が設けられたバスバ３は、屈曲部を境界として、バッテリの上面側に位置される一側と、バッテリの側面側に位置される他側とに、屈曲部を屈曲させる前の状態で、一対の樹脂ハウジング５，７がインサート成形される。
【００２４】
一対の樹脂ハウジング５，７は、合成樹脂材料からなり、それぞれ内部にバスバ３を埋設するように、金型などによってバスバ３と一体成形される。この一対の樹脂ハウジング５，７をバスバ３と一体成形させると、バスバ３の屈曲部を屈曲可能とさせるため、バスバ３の屈曲部が露出した状態となる。
【００２５】
このような一対の樹脂ハウジング５，７が一体成形されたバスバ３の屈曲部を屈曲させることにより、一対の樹脂ハウジング５，７がＬ字状に配置される。この一対の樹脂ハウジング５，７のＬ字状形態は、ロックアーム９，９と、係止部１１との係止によって保持される。
【００２６】
ロックアーム９，９は、バスバ３の屈曲部を屈曲させる前の状態で、一方の樹脂ハウジング５の幅方向両側の下面から連続する一部材で突設され、幅方向に撓み可能に設けられている。このロックアーム９，９は、バスバ３の屈曲部を屈曲させた状態で、係止部１１を係止する。
【００２７】
係止部１１は、バスバ３の屈曲部を屈曲させる前の状態で、他方の樹脂ハウジング７の幅方向に沿って下面から連続する一部材で突設された板部からなる。この係止部１１は、バスバ３の屈曲部を屈曲させた状態で、幅方向の両側をロックアーム９，９によって係止される。
【００２８】
この係止部１１を係止するロックアーム９，９は、バスバ３の屈曲部を屈曲させたときに、先端の傾斜面が係止部１１の幅方向の両端部に当接されて係止部１１の幅方向に向けて撓まされる。この後、ロックアーム９，９の先端側を係止部１１が乗り越えたときに、ロックアーム９，９の復元力によってロックアーム９，９の先端側が係止部１１の幅方向の両端側を係止する。このロックアーム９，９による係止部１１の係止によって、一対の樹脂ハウジング５，７のＬ字状形態を保持する。
【００２９】
しかしながら、ロックアーム９，９は、合成樹脂からなるので、比較的強度が低く、係止部１１を係止した状態で、ヒューズユニット１の搬送時やバッテリへの搭載時における振動などの外力によって、係止部１１の幅方向に撓んでしまって係止が外れてしまう恐れがある。そこで、ロックアーム９，９は、少なくとも撓み可能な部分にバスバ３が用いられている。
【００３０】
バスバ３は、ロックアーム９，９内にインサート成形などによって埋設されている。このため、ロックアーム９，９は、合成樹脂より強度の高い金属によって、係止部１１の幅方向への撓みが補強される。従って、ロックアーム９，９は、係止部１１の係止時における外力による係止部１１の幅方向への撓みが抑制され、ロックアーム９，９と係止部１１との係止を強化することができる。
【００３１】
このようにロックアーム９，９をバスバ３で補強することにより、ロックアーム９，９に掛かる応力や荷重を金属であるバスバ３に分散させ、ロックアーム９，９の樹脂部分に掛かる応力や荷重を低減することができる。
【００３２】
なお、一対の樹脂ハウジング５，７には、ロックアーム９，９と係止部１１との他に、バスバ３の屈曲部が屈曲された状態で係合する係合部１５と被係合部１７とが設けられている。この係合部１５と被係合部１７との係合によっても、一対の樹脂ハウジング５，７のＬ字状形態が保持される。
【００３３】
このようなヒューズユニット１では、ロックアーム９，９が少なくとも撓み可能な部分にバスバ３が用いられているので、合成樹脂よりも強度の高い金属であるバスバ３によってロックアーム９，９の強度が向上され、ロックアーム９，９による係止部１１の係止が外れることを防止できる。
【００３４】
従って、このようなヒューズユニット１では、ロックアーム９，９にバスバ３が用いられているので、ロックアーム９，９の強度を向上し、一対の樹脂ハウジング５，７のＬ字状形態を安定して保持することができる。
【００３５】
また、ロックアーム９，９は、バスバ３が埋設されているので、バスバ３が外部に露出されることがなく、バスバ３の耐腐食性を向上することができる。
【００３６】
なお、本発明の実施の形態に係るヒューズユニットでは、ロックアームにバスバが埋設されているが、これに限らず、例えば、ロックアームの係止部と反対側にバスバを当接させる、或いはロックアーム自体をバスバで形成するなど、ロックアームの少なくとも撓み可能な部分にバスバが用いられていれば、どのような形態であってもよい。
【符号の説明】
【００３７】
１…ヒューズユニット
３…バスバ
５，７…一対の樹脂ハウジング
９…ロックアーム
１１…係止部
【図１】
2014082038.tif 000003
【図２】
2014082038.tif 000004
【図３】
2014082038.tif 000005